(57)【要約】【課題】通信リソースの効率的な利用を図った通信システム及び通信方法を提供する。【解決手段】基地局１２内の受信部１３によって携帯ＩＰ端末２からの携帯ＩＰ端末３７を宛先とするＶｏＩＰ音声パケットを受信している際に、基地局１２と携帯ＩＰ端末３７とのセッションが切断されると、バッファデータ量通知部２０が、携帯ＩＰ端末２に対して蓄積問い合わせメッセージを送信する。そして、受信部１３によって携帯ＩＰ端末２から送信される応答である、蓄積要求メッセージが受信されると、データ蓄積処理部１５は、その後に携帯ＩＰ端末２から送信される携帯ＩＰ端末３７宛てのＶｏＩＰ音声パケットをバッファ１６に蓄積する。【選択図】図１
2007150880.tif 000002
【特許請求の範囲】
【請求項１】
第１の移動端末、第２の移動端末及び第１の基地局を有し、前記第１の移動端末と前記第２の移動端末とが前記第１の基地局を介して音声通信を行う通信システムであって、
前記第１の基地局は、前記第１の移動端末との通信が切断された場合に、前記第２の移動端末に対して該第２の移動端末が送信する音声データを蓄積するか否かを問い合わせる問い合わせ手段を有し、
前記第２の移動端末は、前記第１の基地局による問い合わせに応じて、前記第１の基地局に対して自身が送信する音声データの蓄積を要求する要求手段を有し、
前記第１の基地局は、前記第２の移動端末の要求に応じて、該第２の移動端末が送信する音声データを蓄積する蓄積手段とを有することを特徴とする通信システム。
【請求項２】
前記第１の基地局は、前記第１の移動端末との通信が切断された場合に、前記蓄積手段における前記第２の移動端末が送信する音声データを蓄積可能な容量を算出する算出手段と、
前記算出された第２の移動端末が送信する音声データを蓄積可能な容量を前記第２の移動端末へ通知する通知手段とを有することを特徴とする請求項１に記載の通信システム。
【請求項３】
前記第１の基地局と前記第１の移動端末との通信が切断された場合に、前記第１の移動端末が接続される第２の基地局を検索する検索手段と、
前記検索された第２の基地局へ前記蓄積手段に蓄積された音声データを送信する送信手段とを有することを特徴とする請求項１又は２に記載の通信システム。
【請求項４】
第１の移動端末と第２の基地局との間の音声通信の中継を行う基地局であって、
前記第１の移動端末との通信が切断された場合に、前記第２の移動端末に対して該第２の移動端末が送信する音声データを蓄積するか否かを問い合わせる問い合わせ手段と、
前記問い合わせに応じた第２の移動端末による音声データの蓄積の要求に応じて、該第２の移動端末が送信する音声データを蓄積する蓄積手段とを有することを特徴とする基地局。
【請求項５】
第１の移動端末と第２の移動端末とが第１の基地局を介して音声通信を行う通信方法であって、
前記第１の基地局と前記第１の移動端末との通信が切断された場合に、前記第２の移動端末に対して該第２の移動端末が送信する音声データを蓄積するか否かを問い合わせるステップと、
前記問い合わせに応じて、前記第２の移動端末が送信する音声データの蓄積を要求するステップと、
前記要求に応じて、該第２の移動端末が送信する音声データを蓄積手段に蓄積するステップとを有することを特徴とする通信方法。
【請求項６】
前記第１の基地局と前記第１の移動端末との通信が切断された場合に、前記蓄積手段における前記第２の移動端末が送信する音声データを蓄積可能な容量を算出するステップと、
前記算出された第２の移動端末が送信する音声データを蓄積可能な容量を前記第２の移動端末へ通知するステップとを有することを特徴とする請求項５に記載の通信方法。
【請求項７】
前記第１の基地局と前記第１の移動端末との通信が切断された場合に、前記第１の移動端末が接続される第２の基地局を検索するステップと、
前記検索された第２の基地局へ前記蓄積手段に蓄積された音声データを送信するステップとを有することを特徴とする請求項５又は６に記載の通信方法。
【発明の詳細な説明】
【技術分野】
【０００１】
本発明は、第１の移動端末と第２の移動端末とが基地局を介して音声通信を行う通信システム、当該通信システムにおける基地局、及び、通信方法に関する。
【背景技術】
【０００２】
音声通信の手法として、近年、インターネット等のＩＰネットワークを利用した音声通信方式であるＶｏＩＰ（Voice over Internet Protocol）が普及しつつある。このＶｏＩＰは、音声データを分割して構成されるパケット（ＶｏＩＰ音声パケット）をＩＰネットワーク経由で伝送する技術である。
【０００３】
図９は、ＶｏＩＰを利用した従来の通信システムの構成を示す図である。この通信システムは、ユーザ１０１が使用する移動端末である携帯ＩＰ端末１０２と、ユーザ１３６が使用する移動端末である携帯ＩＰ端末１３７と、携帯ＩＰ端末１０２が接続される基地局１０９と、携帯ＩＰ端末１３７が接続される基地局１１２とによって構成され、基地局１０９と基地局１１２とが接続されている。携帯ＩＰ端末１０２は、音声符号化部１０３、ＶｏＩＰ音声パケット送信部１０４を有し、携帯ＩＰ端末１３７は、音声変換部１３９、ＶｏＩＰ音声パケット受信部１４０を有する。また、基地局１０９は、受信部１１０、送信部１１１を有し、基地局１１２は、受信部１１３、送信部１１４、データ蓄積処理部１１５、バッファ１１６、セッション判定部１１７、タイマ１１８、ユーザ判定部１２１、データ送信部１２２を有する。
【０００４】
この通信システムにおいて、携帯ＩＰ端末１０２がＶｏＩＰ音声パケットをＩＰネットワークに向けて送信すると、当該ＩＰネットワーク上の基地局１０９、１１２は、ＶｏＩＰ音声パケットに記述された宛先のＩＰアドレスを読み取って、当該ＶｏＩＰ音声パケットを携帯ＩＰ端末１３７へ送信する。携帯ＩＰ端末１３７は、受信した各ＶｏＩＰをデコードすることにより音声を復元する。
【０００５】
また、携帯ＩＰ端末１０２が送信するＶｏＩＰ音声パケットは、基地局１１２内のバッファ１１６に蓄積される（例えば、特許文献１参照）。携帯ＩＰ端末１３７が通信エリア圏外に移動することによりＰＰＰ（Point to Point Protocol）セッションが切断された場合や、通信エリア圏内に位置しているもののストリームセッションが切断されて所定時間内に回復しない場合等、通信の切断が生じた場合、データ蓄積処理部１１５に蓄積されたＶｏＩＰ音声パケットは、破棄されるかあるいは通信の復旧後に携帯ＩＰ端末１３７へ再送される。
【特許文献１】特開２００４−１７３０５１号公報
【発明の開示】
【発明が解決しようとする課題】
【０００６】
しかし、ＶｏＩＰ音声パケットが破棄されてしまうと、携帯ＩＰ端末１３７のユーザ１３６は、通話内容を確認することができないため、携帯ＩＰ端末１０２のユーザ１０１に対して電話をかけなおさなければならず、煩雑である。また、音声通信は、一般にリアルタイム性が要求されるため、通信の復旧後に携帯ＩＰ端末１３７へＶｏＩＰが再送されても、そのＶｏＩＰ音声パケットは不要である場合も多い。このような不要なＶｏＩＰ音声パケットの蓄積や伝送が行われることは、記憶装置や伝送路等の通信リソースの効率的な利用を妨げる。
【０００７】
本発明は、上述したような問題点を解決するためになされたものであり、本発明の目的は、通信リソースの効率的な利用を図った通信システム、基地局及び通信方法を提供することにある。
【課題を解決するための手段】
【０００８】
本発明は、第１の移動端末、第２の移動端末及び第１の基地局を有し、前記第１の移動端末と前記第２の移動端末とが前記第１の基地局を介して音声通信を行う通信システムであって、前記第１の基地局が、前記第１の移動端末との通信が切断された場合に、前記第２の移動端末に対して該第２の移動端末が送信する音声データを蓄積するか否かを問い合わせる問い合わせ手段を有し、前記第２の移動端末が、前記第１の基地局による問い合わせに応じて、前記第１の基地局に対して自身が送信する音声データの蓄積を要求する要求手段を有し、前記第１の基地局が、前記第２の移動端末の要求に応じて、該第２の移動端末が送信する音声データを蓄積する蓄積手段とを有することを特徴とする。
【０００９】
この構成により、音声データは、その音声データの送信元である第２の携帯端末の要求に応じて蓄積される。従って、不要な音声データの蓄積や宛先への伝送が防止され、通信リソースの効率的な利用が可能となる。
【００１０】
また、本発明の通信システムは、前記第１の基地局が、前記第１の移動端末との通信が切断された場合に、前記蓄積手段における前記第２の移動端末が送信する音声データを蓄積可能な容量を算出する算出手段と、前記算出された第２の移動端末が送信する音声データを蓄積可能な容量を前記第２の移動端末へ通知する通知手段とを有するようにしてもよい。
【００１１】
この構成により、音声データの送信元である第２の携帯端末のユーザは、どの程度音声データを蓄積可能であるかを認識することができ、その蓄積可能な容量に応じた時間のメッセージを録音させる等、音声データの蓄積に際して適切な対処が可能となる。
【００１２】
また、本発明の通信システムは、前記第１の基地局と前記第１の移動端末との通信が切断された場合に、前記第１の移動端末が接続される第２の基地局を検索する検索手段と、前記検索された第２の基地局へ前記蓄積手段に蓄積された音声データを送信する送信手段とを有するようにしてもよい。
【００１３】
この構成により、音声データの宛先である第１の携帯端末に対して、可能な限り迅速に音声データを送信することができる。
【００１４】
また、本発明は、第１の移動端末と第２の基地局との間の音声通信の中継を行う基地局であって、前記第１の移動端末との通信が切断された場合に、前記第２の移動端末に対して該第２の移動端末が送信する音声データを蓄積するか否かを問い合わせる問い合わせ手段と、前記問い合わせに応じた第２の移動端末による音声データの蓄積の要求に応じて、該第２の移動端末が送信する音声データを蓄積する蓄積手段とを有することを特徴とする。
【００１５】
また、本発明は、第１の移動端末と第２の移動端末とが第１の基地局を介して音声通信を行う通信方法であって、前記第１の基地局と前記第１の移動端末との通信が切断された場合に、前記第２の移動端末に対して該第２の移動端末が送信する音声データを蓄積するか否かを問い合わせるステップと、前記問い合わせに応じて、前記第２の移動端末が送信する音声データの蓄積を要求するステップと、前記要求に応じて、該第２の移動端末が送信する音声データを蓄積手段に蓄積するステップとを有することを特徴とする。
【００１６】
また、本発明の通信方法は、前記第１の基地局と前記第１の移動端末との通信が切断された場合に、前記蓄積手段における前記第２の移動端末が送信する音声データを蓄積可能な容量を算出するステップと、前記算出された第２の移動端末が送信する音声データを蓄積可能な容量を前記第２の移動端末へ通知するステップとを有するようにしてもよい。
【００１７】
また、本発明の通信方法は、前記第１の基地局と前記第１の移動端末との通信が切断された場合に、前記第１の移動端末が接続される第２の基地局を検索するステップと、前記検索された第２の基地局へ前記蓄積手段に蓄積された音声データを送信するステップとを有するようにしてもよい。
【発明の効果】
【００１８】
本発明によれば、音声データは、その音声データの送信元の要求に応じて蓄積されるため、不要な音声データの蓄積や宛先への伝送が防止され、通信リソースの効率的な利用が可能となる。
【発明を実施するための最良の形態】
【００１９】
図１は、本発明に係る通信システムの構成を示す図である。図１における通信システムは、ＶｏＩＰを利用するものであり、ユーザ１が使用する移動端末である携帯ＩＰ端末２と、ユーザ３６が使用する移動端末である携帯ＩＰ端末３７と、ネットワーク上の基地局９、１２及び３３と、通信における各種管理を行う管理装置２３とにより構成されている。この通信システムでは、無線にて携帯ＩＰ端末２と基地局９とが接続され、無線にて携帯ＩＰ端末３７と基地局１２及び３３とが接続される。また、基地局９と基地局１２とが接続され、管理装置２３と基地局１２及び３３とが接続される。
【００２０】
携帯ＩＰ端末２は、音声符号化部３、ＶｏＩＰ音声パケット送信部４、ＶｏＩＰ音声パケット受信部５、ＶｏＩＰ音声パケット蓄積判定部６、通知送信部７及び通知受信部８を有する。携帯ＩＰ端末３７は、受信部３８、音声変換部３９、ＶｏＩＰ音声パケット受信部４０、ＶｏＩＰ音声パケット受信判定部４１、通知送信部４２及び通知受信部４３を有する。基地局９は、受信部１０及び送信部１１を有する。基地局１２は、受信部１３、送信部１４、データ蓄積処理部１５、バッファ１６、セッション判定部１７、タイマ１８、バッファデータ量算出部１９、バッファデータ量通知部２０、ユーザ判定部２１及びデータ送信部２２を有する。基地局３３は、受信部３４及び送信部３５を有する。管理装置２３は、バッファ受信部２４、バッファ２５、基地局検索部２６、通知作成部２７、通知送信部２８、通知受信部２９、ＶｏＩＰ音声パケット送信部３０、データ消去部３１及びデータ保存部３２を有する。
【００２１】
この通信システムにおいて、携帯ＩＰ端末２は、基地局９及び基地局１２を介して携帯ＩＰ端末３７に接続して、音声通信を行う。なお、図１では、携帯ＩＰ端末２から携帯ＩＰ端末３７への音声通信に関わる構成のみを示しているが、同様に、携帯ＩＰ端末３７から携帯ＩＰ端末２への音声通信も行われており、ユーザ１とユーザ３６とが通話を行っている。
【００２２】
以下、ユーザ１の携帯ＩＰ端末２からユーザ３６の携帯ＩＰ端末３７への音声通信時の動作について説明する。ユーザ１の携帯ＩＰ端末２は、基地局９と無線により通信可能な状態となっている。この携帯ＩＰ端末２における音声符号化部３は、マイクロホン（図示せず）によって取得された音声を符号化する。ＶｏＩＰ音声パケット送信部４は、符号化された音声のデータをＶｏＩＰ音声パケットとして、基地局９へ無線により送信する。ＶｏＩＰ音声パケットには、送信元である携帯ＩＰ端末２及び宛先である携帯ＩＰ端末３７を一意に特定可能なＩＤ情報（例えば、携帯ＩＰ端末２及び携帯ＩＰ端末３７のＩＰアドレス）が付加されている。
【００２３】
基地局９における受信部１０は、携帯ＩＰ端末２からのＶｏＩＰ音声パケットを受信する。送信部１１は、このＶｏＩＰ音声パケットを、当該ＶｏＩＰ音声パケットに含まれるＩＤ情報で特定される携帯ＩＰ端末３７に届くように、ネットワーク（図示せず）へ送信する。
【００２４】
基地局１２における受信部１３は、ネットワークを伝送されるＶｏＩＰ音声パケットのうち、基地局１２と無線により接続された携帯ＩＰ端末３７やその他の携帯ＩＰ端末を宛先とするＶｏＩＰ音声パケットや他のデータを受信する。送信部１４は、受信部１３により受信されたＶｏＩＰ音声パケットを宛先である携帯ＩＰ端末へ無線により送信する。
【００２５】
ユーザ３６の携帯ＩＰ端末３７は、基地局１２と無線により通信可能な状態となっている。この携帯ＩＰ端末３７における受信部３８は、基地局１２が送信するＶｏＩＰ音声パケットのうち、携帯ＩＰ端末３７が宛先となっているＶｏＩＰ音声パケットを受信する。音声変換部３９は、このＶｏＩＰ音声パケットを復号し、スピーカ（図示せず）から音声出力を行う。これにより、携帯ＩＰ端末３７のユーザ３６は、携帯ＩＰ端末２のユーザ１の音声を聞くことができる。
【００２６】
次に、基地局１２と携帯ＩＰ端末３７とのセッションが切断される場合における動作を説明する。図２は、基地局１２と携帯ＩＰ端末３７とのセッションが切断される場合における、基地局１２の第１の動作を示すフローチャートである。基地局１２における受信部１３が、携帯ＩＰ端末２からの携帯ＩＰ端末３７やその他の携帯ＩＰ端末を宛先とするＶｏＩＰ音声パケットや他のデータを受信している際に（Ｓ１０１）、ユーザ判定部２１は、その受信されたデータがＶｏＩＰ音声パケットであるか否かを判定する（Ｓ１０２）。受信されたデータがＶｏＩＰ音声パケットでない場合、ユーザ判定部２１は、そのＶｏＩＰ音声パケットを後述するバッファ１６に蓄積させることなく消去する（Ｓ１０３）。
【００２７】
一方、受信されたデータがＶｏＩＰ音声パケットである場合、セッション判定部１７は、基地局１２と携帯ＩＰ端末３７とのセッション（ＰＰＰセッションやストリームセッション）が切断されたか否かを判定する（Ｓ１０４）。基地局１２と携帯ＩＰ端末３７とのセッションが切断されていない場合、セッション判定部１７は、タイマ１８を起動し、当該タイマ１８が満了するまでに、携帯ＩＰ端末３７からの応答があったか否かを判定する（Ｓ１０５）。携帯ＩＰ端末３７からの応答があった場合には、その後、通常の音声通信が行われる（Ｓ１０６）。
【００２８】
一方、携帯ＩＰ端末３７からの応答があった場合（Ｓ１０５で否定判断）、あるいは、基地局１２と携帯ＩＰ端末３７とのセッションが切断された場合（Ｓ１０４で肯定判断）には、バッファデータ量算出部１９は、バッファ１６の空き容量を算出し、当該空き容量の一部を、携帯ＩＰ端末２が送信するＶｏＩＰ音声パケットの蓄積用として割り当てる（Ｓ１０７）。更に、バッファデータ量通知部２０は、バッファ１６にＶｏＩＰ音声パケットの蓄積を行うか否かを問い合わせるメッセージ（蓄積問い合わせメッセージ）を作成し、基地局９を介して携帯ＩＰ端末２へ送信する（Ｓ１０８）。この蓄積問い合わせメッセージには、携帯ＩＰ端末２が送信するＶｏＩＰ音声パケットの蓄積可能な容量、あるいは、その容量に対応する蓄積可能な時間が含まれている。
【００２９】
図３は、基地局１２と携帯ＩＰ端末３７とのセッションが切断される場合における、送信元である携帯ＩＰ端末２の動作を示すフローチャートである。携帯ＩＰ端末２における通知受信部８が、上述した図２のＳ１０８において基地局１２から送信される蓄積要求問い合わせメッセージを受信すると（Ｓ２０１）、ＶｏＩＰ音声パケット蓄積判定部６は、携帯ＩＰ端末２が送信するＶｏＩＰ音声パケットを基地局１２に蓄積させるか否かを判定する（Ｓ２０２）。ここでは、例えば、ＶｏＩＰ音声パケット蓄積判定部６は、ユーザ１の操作指示に応じて、ＶｏＩＰ音声パケットを蓄積させるか否かを判定する。
【００３０】
ＶｏＩＰ音声パケットを蓄積させない場合、携帯ＩＰ端末２は、セッションを切断して通信を終了する（Ｓ２０３）。一方、ＶｏＩＰ音声パケットを蓄積させる場合、通知送信部７は、ＶｏＩＰ音声パケットの蓄積を要求するメッセージ（蓄積要求メッセージ）を送信し、基地局９を介して基地局１２へ送信する（Ｓ２０４）。
【００３１】
図４は、基地局１２と携帯ＩＰ端末３７とのセッションが切断される場合における、基地局１２の第２の動作を示すフローチャートである。基地局１２における受信部１３が、上述した図３のＳ２０４において携帯ＩＰ端末２から送信される蓄積要求メッセージを受信すると（Ｓ３０１）、データ蓄積処理部１５は、その後に携帯ＩＰ端末２から送信される携帯ＩＰ端末３７宛てのＶｏＩＰ音声パケットやその他のデータをバッファ１６に蓄積する（Ｓ３０２）。図５は、バッファ１６に蓄積されるデータの一例を示す図である。図５に示すように、バッファ１６には、ＶｏＩＰ音声パケットと当該ＶｏＩＰ音声パケットの送信元及び宛先を一意に特定可能なＩＤ情報とが付加されている。
【００３２】
更に、データ送信部２２は、このバッファ１６に蓄積された携帯ＩＰ端末３７宛てのＶｏＩＰ音声パケットを管理装置２３へ送信する（Ｓ３０３）。
【００３３】
図６は、基地局１２と携帯ＩＰ端末３７とのセッションが切断される場合における、管理装置２３の第１の動作を示すフローチャートである。管理装置２３におけるバッファ受信部２４は、上述した図４のＳ３０３において基地局１２から送信されるＶｏＩＰ音声パケットを受信する（Ｓ４０１）。
【００３４】
基地局検索部２６は、この受信されたＶｏＩＰ音声パケットに付加されている宛先である携帯ＩＰ端末３７のＩＤ情報に基づいて、携帯ＩＰ端末３７が接続されている基地局を検索する（Ｓ４０２）。携帯ＩＰ端末３７が接続されている基地局が発見されなかった場合、データ保存部３２は、受信されたＶｏＩＰ音声パケットをバッファ２５に蓄積する（Ｓ４０３）。その後、所定時間経過後に、再び基地局検索（Ｓ４０２）が行われる。
【００３５】
一方、携帯ＩＰ端末３７が接続されている基地局（ここでは基地局３３）が発見された場合、通知作成部２７は、携帯ＩＰ端末３７に対してＶｏＩＰ音声パケットの受信を行うか否かを問い合わせるメッセージ（要求問い合わせメッセージ）を作成する。通知送信部２８は、この要求問い合わせメッセージを携帯ＩＰ端末３７へ送信する（Ｓ４０４）。
【００３６】
図７は、基地局１２と携帯ＩＰ端末３７とのセッションが切断される場合における、宛先である携帯ＩＰ端末３７の動作を示すフローチャートである。携帯ＩＰ端末３７における通知受信部４３が、上述した図６Ｓ４０４において管理装置２３から送信される要求問い合わせメッセージを受信すると（Ｓ５０１）、ＶｏＩＰ音声パケット受信判定部４１は、この要求問い合わせメッセージに応じて、管理装置２３内のバッファ２５に蓄積されたＶｏＩＰ音声パケットを受信するか否かを判定する（Ｓ５０２）。ここでは、例えば、ＶｏＩＰ音声パケット受信判定部４１は、ユーザ３６の操作指示に応じて、管理装置２３内のバッファ２５に蓄積されたＶｏＩＰ音声パケットを受信するか否かを判定する。
【００３７】
ＶｏＩＰ音声パケットを受信すると判定された場合、通知送信部４２は、ＶｏＩＰ音声パケットの送信を要求するメッセージ（送信要求メッセージ）を作成し、管理装置２３へ送信する（Ｓ５０３）。その後、受信部３８は、この送信要求メッセージに応じて管理装置２３から送信されるＶｏＩＰ音声パケットを受信し、音声変換部３９は、このＶｏＩＰ音声パケットを復号し、スピーカから音声出力を行う（Ｓ５０４）。
【００３８】
一方、ＶｏＩＰ音声パケットを受信しないと判定した場合、更に、ＶｏＩＰ音声パケット受信判定部４１は、管理装置２３にＶｏＩＰ音声パケットの一時的な保存を行わせるか否かを判定する（Ｓ５０５）。ＶｏＩＰ音声パケットの一時的な保存を行わせる場合、通知送信部４２は、ＶｏＩＰ音声パケットの一時保存を要求するメッセージ（一時保存要求メッセージ）を作成し、管理装置２３へ送信する（Ｓ５０６）。また、ＶｏＩＰ音声パケットの一時的な保存を行わせない場合、通知送信部４２は、ＶｏＩＰ音声パケットの消去を要求するメッセージ（消去要求メッセージ）を作成し、管理装置２３へ送信する（Ｓ５０７）。
【００３９】
その後は、通知受信部４３が管理装置２３からの要求問い合わせメッセージを受信する毎に（Ｓ５０１）、管理装置２３内のバッファ２５に蓄積されたＶｏＩＰ音声パケットを受信するか否かの判定（Ｓ５０２）以降の動作が繰り返される。
【００４０】
図８は、基地局１２と携帯ＩＰ端末３７とのセッションが切断される場合における、管理装置２３の第２の動作を示すフローチャートである。管理装置２３における通知受信部２９は、携帯ＩＰ端末３７からのメッセージを受信すると（Ｓ６０１）、そのメッセージがＶｏＩＰ音声パケットの送信を要求するものであるか否かを判定する（Ｓ６０２）。
【００４１】
受信されたメッセージがＶｏＩＰ音声パケットの送信を要求するものである場合、ＶｏＩＰ音声パケット送信部３０は、バッファ２５に蓄積された、携帯ＩＰ端末３７を宛先とするＶｏＩＰ音声パケットを携帯ＩＰ端末３７へ送信する（Ｓ６０３）。これにより、携帯ＩＰ端末３７では、このＶｏＩＰ音声パケットの受信及び音声出力が行われる（図７のＳ５０４）。
【００４２】
一方、受信されたメッセージがＶｏＩＰ音声パケットの送信を要求するものでない場合、データ保存部３２は、受信されたメッセージがＶｏＩＰ音声パケットの一時保存を要求するものであるか否かを判定する（Ｓ６０４）。
【００４３】
受信されたメッセージがＶｏＩＰ音声パケットの一時保存を要求するものでない場合、データ消去部３１は、バッファ２５に蓄積された、携帯ＩＰ端末３７を宛先とするＶｏＩＰ音声パケットを消去する（Ｓ６０５）。
【００４４】
また、受信されたメッセージがＶｏＩＰ音声パケットの一時保存を要求するものである場合、データ保存部３２は、バッファ２５に蓄積された携帯ＩＰ端末３７を宛先とするＶｏＩＰ音声パケットについて、保存を継続する処理を行う（Ｓ６０６）。その後、通知作成部２７は、要求問い合わせメッセージを作成し、通知送信部２８は、この要求問い合わせメッセージを携帯ＩＰ端末３７へ送信する（Ｓ６０７）。そして、この問い合わせ要求メッセージに応答して携帯ＩＰ端末３７が送信するメッセージが通知受信部２９によって受信されると（Ｓ６０８）、当該通知受信部２９は、そのメッセージがＶｏＩＰ音声パケットの送信を要求するものであるか否かを判定する（Ｓ６０９）。
【００４５】
受信されたメッセージがＶｏＩＰ音声パケットの送信を要求するものでない場合には、ＶｏＩＰ音声パケットの一時保存（Ｓ６０６）以降の動作が繰り返される。すなわち、ＶｏＩＰ音声パケットの一時保存が行われている間、通知作成部２７は、要求問い合わせメッセージを作成し、通知送信部２８は、この要求問い合わせメッセージを、携帯ＩＰ端末３７へ送信することになる。
【００４６】
一方、受信されたメッセージがＶｏＩＰ音声パケットの送信を要求するものである場合には、ＶｏＩＰ音声パケット送信部３０は、バッファ２５に蓄積された、携帯ＩＰ端末３７を宛先とするＶｏＩＰ音声パケットを携帯ＩＰ端末３７へ送信する（Ｓ６０３）。
【００４７】
ＶｏＩＰ音声パケットを携帯ＩＰ端末３７へ送信した後、通知作成部２７は、要求問い合わせメッセージを作成し、通知送信部２８は、この要求問い合わせメッセージを携帯ＩＰ端末３７へ送信する（Ｓ６１０）。そして、この問い合わせ要求メッセージに応答して携帯ＩＰ端末３７が送信するメッセージが通知受信部２９によって受信されると（Ｓ６１１）、当該通知受信部２９は、そのメッセージがＶｏＩＰ音声パケットの消去を要求するものであるか否かを判定する（Ｓ６１２）。
【００４８】
受信されたメッセージがＶｏＩＰ音声パケットの消去を要求するものである場合、データ消去部３１は、バッファ２５に蓄積された、携帯ＩＰ端末３７を宛先とするＶｏＩＰ音声パケットを消去する（Ｓ６１３）。一方、受信されたメッセージがＶｏＩＰ音声パケットの消去を要求するものでない場合には、ＶｏＩＰ音声パケットの一時保存（Ｓ６０６）以降の動作が繰り返される。
【００４９】
なお、通知送信部４２は、ユーザ３６の操作指示に応じて、管理装置２３からの要求問い合わせメッセージに対する応答ではなく、自発的に、ＶｏＩＰ音声パケットの送信、一時保存、消去を要求するメッセージを作成して管理装置２３へ送信し、管理装置２３がこのメッセージに応じて、ＶｏＩＰ音声パケットの送信、一時保存、消去が行うようにしてもよい。
【００５０】
このように、本実施形態の通信システムでは、ＶｏＩＰ音声データは、そのＶｏＩＰ音声データの送信元である携帯ＩＰ端末２の要求に応じて基地局１２に蓄積される。従って、不要なＶｏＩＰ音声データの蓄積や宛先への伝送が防止され、通信リソースの効率的な利用が可能となる。
【００５１】
また、本実施形態の通信システムでは、基地局１２が携帯ＩＰ端末２へ送信する蓄積問い合わせメッセージに、携帯ＩＰ端末２が送信するＶｏＩＰ音声パケットの蓄積可能な容量、あるいは、その容量に対応する蓄積可能な時間が含まれている。このため、携帯ＩＰ端末２のユーザ１は、どの程度ＶｏＩＰ音声パケットを蓄積可能であるかを認識することができ、その蓄積可能な容量に応じた時間のメッセージを録音させる等、ＶｏＩＰ音声パケットの蓄積に際して適切な対処が可能となる。更には、本実施形態の通信システムでは、基地局１２と宛先である携帯ＩＰ端末３７との通信が切断された場合に、管理装置２３が、携帯ＩＰ端末３７が接続される基地局３３を検索し、その検索した基地局３３へ蓄積されたＶｏＩＰ音声データを送信しており、宛先である携帯ＩＰ端末３７に対して、可能な限り迅速にＶｏＩＰ音声データを送信することができる。
【００５２】
なお、本実施形態の通信システムでは、基地局１２と携帯ＩＰ端末３７とのセッションが切断される場合に、基地局１２のバッファ１６に携帯ＩＰ端末２からのＶｏＩＰ音声パケットを蓄積するようにして、この蓄積されたＶｏＩＰ音声パケットを管理装置２３のバッファ２５に蓄積させて、管理装置２３から基地局３３を介してＶｏＩＰ音声パケットを携帯ＩＰ端末３７へ送信するようにしているが、この場合、例えば、バッファ１６に、携帯ＩＰ端末２のＶｏＩＰ音声パケットだけでなく、音声コーデック情報も蓄積させて、ＶｏＩＰ音声パケットとともに、音声コーデック情報も管理装置２３のバッファ２５に蓄積させるようにし、バッファ２５に蓄積された音声コーデック情報に基づいて、管理装置２３で、携帯ＩＰ端末２と携帯ＩＰ端末３７の音声コーデック情報を一致させるように調整したうえで（携帯ＩＰ端末３７の音声コーデック情報については、例えば、基地局１２と携帯ＩＰ端末３７とのセッション接続されているときに、基地局１２のバッファ１６に蓄積させるようにして、基地局１２から管理装置２３のバッファ２５に蓄積させるようにする）、音声コーデック情報を、管理装置２３から基地局３３を介してＶｏＩＰ音声パケットを携帯ＩＰ端末３７へ送信するようにしてもよい。
【産業上の利用可能性】
【００５３】
以上、説明したように、本発明に係る通信システム及び通信方法は、通信リソースの効率的な利用が可能であり、通信システム及び通信方法として有用である。
【図面の簡単な説明】
【００５４】
【図１】通信システムの構成図である。
【図２】基地局１２の第１の動作を示すフローチャートである。
【図３】携帯ＩＰ端末２の動作を示すフローチャートである。
【図４】基地局１２の第２の動作を示すフローチャートである。
【図５】バッファ１６に蓄積されるデータの一例を示す図である。
【図６】管理装置２３の第１の動作を示すフローチャートである。
【図７】携帯ＩＰ端末３７の動作を示すフローチャートである。
【図８】管理装置２３の第２の動作を示すフローチャートである。
【図９】従来の通信システムの構成図である。
【符号の説明】
【００５５】
１，３６  ユーザ、２，３７  携帯ＩＰ端末、３  音声符号化部、４，３０  ＶｏＩＰ音声パケット送信部、５，４０  ＶｏＩＰ音声パケット受信部、６  ＶｏＩＰ音声パケット蓄積判定部、７，２８，４２  通知送信部、８，２９，４３  通知受信部、９，１２，３３  基地局、１０，１３，３４，３８  受信部、１１，１４，３５  送信部、１５  データ蓄積処理部、１６，２５  バッファ、１７  セッション判定部、１８  タイマ、１９  バッファデータ量算出部、２０  バッファデータ量通知部、２１  ユーザ判定部、２２  データ送信部、２３  管理装置、２４  バッファ受信部、２６  基地局検索部、２７  通知作成部、３１  データ消去部、３２  データ保存部、３９  音声変換部、４１  ＶｏＩＰ音声パケット受信判定部。
【図１】
2007150880.tif 000003
【図２】
2007150880.tif 000004
【図３】
2007150880.tif 000005
【図４】
2007150880.tif 000006
【図５】
2007150880.tif 000007
【図６】
2007150880.tif 000008
【図７】
2007150880.tif 000009
【図８】
2007150880.tif 000010
【図９】
2007150880.tif 000011